(57)【要約】【課題】通水孔下縁から隔壁下端までの高さでフラッパ収納室内に貯留する水を水抜き時に十分に排水でき、再通水時の動作異常が発生せず、且つ検知感度を良好に保つ水流スイッチを提供する。【解決手段】フラッパ収納室２４と下流側通水路２３ａとの境界部分の隔壁１０に下流側通水路と連通する通水孔１１と水抜き孔１２が開設され、水が水平に流入する水流スイッチ１の使用状態において、通水孔は、フラッパ６の可動端６４の回動軌跡６４ａの最下位以上の高さに下縁１１ａが存し、フラッパが検知スイッチ８が水流有りを検知してオンとなる所定角度に回動した可動端の高さよりも上方に上縁１１ｂが存し、水抜き孔は、フラッパ収納室の下流側通水路寄りの下方部分に、フラッパの回動軌跡の最下位よりも下方に下縁１２ａが存し、水抜き孔の孔軸１２ｂに直交する断面積が通水孔の孔軸１１ｃに直交する断面積よりも小さい。【選択図】図３
2020068053.tif 000002
【特許請求の範囲】
【請求項１】
入水口と、出水口と、入水口と出水口とを結ぶ通水路と、通水路の途中のフラッパ収納室とを有する本体ケースと、入水口からの水流が当たる受圧部を有し、受圧部に作用する水流による力で基端側の支軸を支点に回動する、フラッパ収納室に配置したフラッパと、フラッパの所定角度以上の回動で水流有りを検知する検知スイッチとを備え、入水口からフラッパ収納室に水が水平に流入し、フラッパの前記基端側が上端側となるように配置されて使用可能な水流スイッチにおいて、
フラッパ収納室とこれより出水口側に位置する下流側通水路との境界部分に隔壁が設けられ、この隔壁に、水が水平に流入する姿勢での水流スイッチの使用状態において、フラッパの可動端の回動軌跡の最下位以上の高さに下縁が存し、前記所定角度に回動したフラッパの可動端の高さよりも上方に上縁が存して下流側通水路と連通する通水孔が開設されると共に、
フラッパ収納室の下流側通水路寄りの下方部分に、水流スイッチの前記使用状態において、フラッパの可動端の回動軌跡の最下位よりも下方に下縁が存して下流側通水路に連通する水抜き孔が開設され、この水抜き孔の孔軸に直交する断面積が通水孔の孔軸に直交する断面積よりも小さい
ことを特徴とする水流スイッチ。
【請求項２】
水抜き孔の前記断面積は、通水孔の前記断面積の６０％以下であることを特徴とする請求項１記載の水流スイッチ。
【発明の詳細な説明】
【技術分野】
【０００１】
本発明は、入水口と、出水口と、入水口と出水口とを結ぶ通水路と、通水路の途中のフラッパ収納室とを有する本体ケースと、入水口からの水流が当たる受圧部を有し、受圧部に作用する水流による力で基端側の支軸を支点に回動する、フラッパ収納室に配置したフラッパと、フラッパの所定角度以上の回動で水流有りを検知する検知スイッチとを備え、入水口からフラッパ収納室に水が水平に流入し、フラッパの前記基端側が上端側となるように配置されて使用可能な水流スイッチに関する。
【背景技術】
【０００２】
従来、この種の水流スイッチとして、フラッパ収納室とこれより出水口側に位置する下流側通水路との境界部分に隔壁が設けられ、この隔壁に、水が水平に流入する姿勢での水流スイッチの使用状態において、下流側通水路と連通する通水孔が隔壁上部に開設されたものが知られている（例えば、特許文献１参照）。このように通水孔が開設されていれば、検知スイッチが水流有りと検知するフラッパの所定角度以上の回動が維持されやすくなる。
【０００３】
然し、この水流スイッチでは、通水孔が隔壁上部に位置するため、通水停止後、通水孔下縁から隔壁下端までの高さでフラッパ収納室内に水が貯留しやすく、貯留水は、水抜きをしても通水孔下の隔壁の部分が妨げとなり、抜き切れずに残水となってしまう。こうした残水は、冬場、外気温が氷点下になると凍結して氷となり、この氷によってフラッパが固定される等して回動不能となる。このため、再通水時に水流スイッチが作動しないという動作異常が発生する。
【先行技術文献】
【特許文献】
【０００４】
【特許文献１】特開２０００−２８４０５号公報
【発明の概要】
【発明が解決しようとする課題】
【０００５】
本発明は、以上の点に鑑み、通水孔下縁から隔壁下端までの高さでフラッパ収納室内に貯留する水を水抜き時に十分に排水でき、再通水時の動作異常が発生せず、且つ検知感度を良好に保つことのできる水流スイッチを提供することをその課題としている。
【課題を解決するための手段】
【０００６】
上記課題を解決するために、本発明は、入水口と、出水口と、入水口と出水口とを結ぶ通水路と、通水路の途中のフラッパ収納室とを有する本体ケースと、入水口からの水流が当たる受圧部を有し、受圧部に作用する水流による力で基端側の支軸を支点に回動する、フラッパ収納室に配置したフラッパと、フラッパの所定角度以上の回動で水流有りを検知する検知スイッチとを備え、入水口からフラッパ収納室に水が水平に流入し、フラッパの前記基端側が上端側となるように配置されて使用可能な水流スイッチにおいて、フラッパ収納室とこれより出水口側に位置する下流側通水路との境界部分に隔壁が設けられ、この隔壁に、水が水平に流入する姿勢での水流スイッチの使用状態において、フラッパの可動端の回動軌跡の最下位以上の高さに下縁が存し、前記所定角度に回動したフラッパの可動端の高さよりも上方に上縁が存して下流側通水路と連通する通水孔が開設されると共に、フラッパ収納室の下流側通水路寄りの下方部分に、水流スイッチの前記使用状態において、フラッパの可動端の回動軌跡の最下位よりも下方に下縁が存して下流側通水路に連通する水抜き孔が開設され、この水抜き孔の孔軸に直交する断面積が通水孔の孔軸に直交する断面積よりも小さいことを特徴とする。
【０００７】
本発明によれば、フラッパ収納室の下流側通水路寄りの下方部分に、水が水平に流入する姿勢での水流スイッチの使用状態において、下縁が前記の如くの位置に存して下流側通水路に連通する水抜き孔が開設されているため、水抜き時にフラッパ収納室内に水がフラッパの可動端の回動軌跡の最下位を超えて残ることはなく、十分に排水され、残水凍結に伴う再通水時の動作異常は発生しない。また、本発明によれば、水流スイッチの前記使用状態において、下縁がフラッパの可動端の回動軌跡の最下位以上の高さに存する通水孔の上縁が、検知スイッチが水流有りと検知する所定角度に回動した状態でのフラッパの可動端の高さよりも上方に位置すると共に、水抜き孔の前記断面積が通水孔の前記断面積よりも小さいため、通水時にフラッパ収納室に流入する水の内、通水孔を経てフラッパ収納室から下流側通水路に流出する割合が、水抜き孔を経てフラッパ収納室から下流側通水路に流出する割合よりも多くなり、フラッパの所定角度以上の回動が確実に維持され、水流スイッチの検知感度が良好に保たれる。
【０００８】
本発明においては、水抜き孔の前記断面積は、通水穴の前記断面積の６０％以下であることが望ましい。これによれば、通水時に水抜き孔から下流側通水路に流出する水の割合を十分に小さくして水流スイッチの検知感度をより良好にすることができる。
【図面の簡単な説明】
【０００９】
【図１】本発明の水流スイッチの一実施形態を使用時の配置状態で示す斜視図。
【図２】図１に示す水流スイッチを下側から見た斜視図。
【図３】図１に示す水流スイッチのＡ−Ａ断面図。
【図４】図３に示す水流スイッチのＢ−Ｂ断面図。
【発明を実施するための形態】
【００１０】
図１〜図４を参照して、水流スイッチ１は、本体ケース２と蓋部３とを備えている。本体ケース２は、入水口２１と、出水口２２と、入水口２１と出水口２２とを結ぶ通水路２３と、通水路２３の途中のフラッパ収納室２４とを有している。水流スイッチ１は、入水口２１からフラッパ収納室２４に水（湯水混合流体等を含む）が水平に流入するように配置されて使用される。本実施形態では、入水口２１の中心２１ａと出水口２２の中心２２ａが直交するように通水路２３がＬ字形で下方に折曲している。フラッパ収納室２４は上方に開口し、この開口内側にＯリング４を介して水封状態で挿入される中空円筒状の胴部３１を有する蓋部３がねじ５により本体ケース２に締結されている。フラッパ６は、フラッパ収納室２４に配置され、入水口２１からフラッパ収納室２４に水が水平に流入する時の水流が当たる受圧部６１を有し、受圧部６１に作用する水流の水圧を受けて、水流スイッチ１の使用状態において上端側に位置する基端６２側の支軸６３を支点に、図３に点線で示す如く左右方向に回動する。本実施形態では、フラッパ６の可動端６４付近の部分が受圧部６１側に折曲され、水流が受圧部６１により当たりやすくしている。
【００１１】
支軸６３は、蓋部３の胴部３１の内側で上下方向に延びる、離間して設けられた一対の支持板３２に支持されている。また、支軸６３の外周にねじりコイルばね７が巻回され、ねじりコイルばね７の上端部は、胴部３１の内側で蓋部３に当接し、下端部はフラッパ６の受圧部６１において水流が当たる面の裏側面に当接している。受圧部６１にねじりコイルばね７の付勢力よりも大きな所定水圧以上の水流が当たると、フラッパ６が、図３に二点鎖線で示す初期状態から同図に実線で示す如く左方に最大で約９０°回動する。
【００１２】
また、水流スイッチ１は、フラッパ６の所定角度（例えば、図３に一点鎖線で示す７５°程度）以上の回動で水流有りを検知してオンする検知スイッチ８を備えている。本実施形態では、フラッパ６には、受圧部６１の水流が当たる面の裏側面にマグネット９を取り付け、検知スイッチ８を蓋部３の上面に取り付けたリードスイッチで構成し、フラッパ６の前記所定角度以上の回動でマグネット９が検知スイッチ８に接近した時に、検知スイッチ８がオンするようにしている。
【００１３】
更に、水流スイッチ１では、フラッパ収納室２４とこれより出水口２２側に位置する下流側通水路２３ａとの境界部分に隔壁１０が設けられ、隔壁１０に、水が水平に流入する姿勢での水流スイッチ１の使用状態において、フラッパ６の可動端６４の回動軌跡６４ａの最下位以上の高さに下縁１１ａが存し、前記所定角度に回動したフラッパ６の可動端６４の高さよりも上方に上縁１１ｂが存して下流側通水路２３ａと連通する、円形の通水孔１１が開設されている。また、本実施形態では、通水孔１１は、フラッパ６が前記所定角度に回動した状態でフラッパ６の可動端６４と同等高さに孔軸１１ｃが位置するように開設されている。
【００１４】
そして、水流スイッチ１には、隔壁１０の下端部分に、水流スイッチ１の使用状態において、フラッパ６の可動端６４の回動軌跡６４ａの最下位よりも下方に下縁１２ａが存して下流側通水路２３ａに連通する、円形の水抜き孔１２が開設されている。具体的には、本実施形態では、水抜き孔１２は、隔壁１０の下端部分にフラッパ収納室２４から下流側通水路２３ａに向かって斜め下方に開設され、図４に示すように通水孔１１の真下に位置している。そして、水抜き孔１２の孔軸１２ｂに直交する断面積は通水孔１１の孔軸１１ｃに直交する断面積よりも小さくなっている。
【００１５】
このように、水流スイッチ１では、フラッパ収納室２４と下流側通水路２３ａとの境界部分に設けられた隔壁１０に、水が水平に流入する姿勢での使用状態において、下縁１１ａ及び上縁１１ｂが図３に示す如く前記高さに存して、下流側通水路２３ａと連通する通水孔１１が開設されているため、フラッパ収納室２４に流入する水の水圧を受圧部６１で受け、検知スイッチ８が水流有りを検知してオンする前記所定角度以上にフラッパ６が回動でき、検知感度の良好な水流スイッチ１となる。また、隔壁１０の下端部分に、水流スイッチ１の前記使用状態において、下縁１２ａが前記の如くの位置に存して下流側通水路２３ａに連通する水抜き孔１２が開設されているため、従来フラッパ収納室２４内で残水となっていた水は、水抜き孔１２を通じて下流側通水路２３ａを流れ、出水口２２から水流スイッチ１の外部に排水される。従って、水流スイッチ１では、水抜き時にフラッパ収納室２４内に水がフラッパ６の可動端６４の回動軌跡６４ａの最下位を超えて残ることはなく、十分に排水され、残水凍結が生じても、フラッパ６の回動軌跡６４ａ内に凍結した氷は存在しないため、再通水時の動作異常は発生しない。そのような排水は水抜き孔１２によって実現され、水抜き孔１２は穴加工で容易に開設できるため、水流スイッチ１は安価なものとなる。
【００１６】
更に、通水孔１１の下縁１１ａ及び上縁１１ｂが前記の如くの高さに存すると共に、水抜き孔１２の前記断面積が通水孔１１の前記断面積よりも小さいため、通水時にフラッパ収納室２４に流入する水の内、通水孔１１を経てフラッパ収納室２４から下流側通水路２３ａに流出する割合が、水抜き孔１２を経てフラッパ収納室２４から下流側通水路２３ａに流出する割合よりも多くなり、フラッパ６の所定角度以上の回動が確実に維持され、水流スイッチ１の検知感度が良好に保たれる。
【００１７】
ここで、本実施形態では、通水孔１１は、入水口２１からドリルを水平方向に挿入し、下縁１１ａ、上縁１１ｂ及び孔軸１１ｃが前記の如くの位置となるように隔壁１０に対し水平方向に貫通する穴加工を施すことにより開設することができる。一方、水抜き孔１２は、蓋部３を本体フレーム２に締結する以前に、フラッパ収納室２４の上部開口から斜め下方にドリルを挿入し、孔軸１２ｂが前記の如くの位置に存するように隔壁１０の下端部を穴加工することにより開設することができる。
【００１８】
尚、水抜き孔１２の前記断面積は、通水孔１１の前記断面積の６０％以下の範囲が望ましい。水抜き孔１２の前記断面積が前記範囲内にあれば、通水時に水抜き孔１２から下流側通水路２３ａに流出する水の割合を十分に小さくして水流スイッチ１の検知感度をより良好にすることができる。ここで、前記範囲は、通水孔１１に対する水抜き孔１２の前記断面積の割合の下限がゼロであることを意図しない。フラッパ収納室２４の容積、本体ケース２の材質や表面処理等に応じ残水が発生しない限りにおいて前記範囲の下限はゼロではない任意の数値とすることができる。
【００１９】
以上、本発明の実施形態を図面を参照して説明したが、本発明は以上の実施形態に限定されない。本体ケース２及び蓋部３の細部の構成及び構造、フラッパ６の形状及び回動のための機構、検知スイッチ８の構成及び構造等の細部については様々な態様が可能である。例えば、出水口２２の中心２２ａが入水口２１の中心２１ａと同一直線上に位置するような通水路２３としても構わない。この場合にも、水抜き時に、フラッパ収納室２４内に水がフラッパ６の可動端６４の回動軌跡６４ａの最下位を超えて残ることはない。
【００２０】
また、水抜き孔１２は、隔壁１０の下端部分に開設されるばかりでなく、下縁１２ａがフラッパ６の可動端６４の回動軌跡６４ａよりも下方に位置する限り、フラッパ収納室２４の下流側通水路２３ａ寄りの下方部分、例えば、フラッパ収納室２４の底部等から下流側通水路２３ａに連通するように水抜き孔１２を開設できる。更に、図３及び図４に示す水抜き孔１２の上縁１２ｃの位置は、水抜き孔１２の前記断面積が通水孔１１の前記断面積よりも小さい限り特に制限されない。更にまた、通水孔１１及び水抜き孔１２の形状は、円形に限らず、多角形等でもよい。加えて、通水孔１１に対する水抜き孔１２の位置関係は真下に限らず、斜め下等とすることもでき、水抜き孔１２は、下流側通水路２３ａに連通する任意の部分に開設できる。そして、水流スイッチ１は、水が水平に流入する姿勢での使用で前記の如くの効果を奏するが、水流スイッチ１は、鉛直や斜め上方又は下方等に水が流入する姿勢での使用も可能である。
【符号の説明】
【００２１】
１…水流スイッチ、２…本体ケース、２１…入水口、２２…出水口、２３…通水路、２４…フラッパ収納室、２３ａ…下流側通水路、６…フラッパ、６１…受圧部、６２…基端、６３…支軸、６４…可動端、６４ａ…回動軌跡、８…検知スイッチ、１０…隔壁、１１…通水孔、１１ａ…通水孔の下縁、１１ｂ…通水孔の上縁、１１ｃ…通水孔の孔軸、１２…水抜き孔、１２ａ…水抜き孔の下縁、１２ｂ…水抜き孔の孔軸。
【図１】
2020068053.tif 000003
【図２】
2020068053.tif 000004
【図３】
2020068053.tif 000005
【図４】
2020068053.tif 000006